【手続補正書】
【提出日】平成16年8月23日(2004.8.23)
【手続補正１】
【補正対象書類名】明細書
【補正対象項目名】全文
【補正方法】変更
【補正の内容】
【書類名】      明細書
【発明の名称】  撮像装置
【特許請求の範囲】
【請求項１】
装置を操作するためのグラフィカル・ユーザ・インターフェイス手段を備えたＧＵＩ画面を生成して画像表示手段に表示するＧＵＩ画面生成手段と、
前記画像表示手段に表示されるＧＵＩ画面を操作するための操作手段と、
前記操作手段によるＧＵＩ画面の操作に応じて装置を制御する制御手段と、を具備している撮像装置であって、
前記撮像装置において設定・操作可能な機能を所定のカテゴリにより分類し、分類した機能のインデックス情報を段階的に表示し、表示されたインデックス情報を選択することにより所望の機能を設定・操作できる階層型のメインメニュー情報が記憶されている記憶手段と、
前記記憶手段のメインメニュー情報の中から所望のインデックス情報を選択して独自のメニュー情報を作成することができるメニュー作成手段と、
前記メニュー作成手段で作成された独自のメニュー情報を編集することができるメニュー編集手段と、を備えており、
前記制御手段は、前記操作手段による所定の操作を検知すると、前記ＧＵＩ画面生成手段を制御し、
前記ＧＵＩ画面生成手段は、前記制御手段の制御に従い、前記独自のメニュー情報に前記メニュー編集手段を操作するためのインデックス情報を含んだＧＵＩ画面を生成して前記画像表示手段に表示すること
を特徴とする撮像装置。
【請求項２】
前記メニュー編集手段は、前記独自のメニュー情報にインデックス情報を追加する機能、インデックス情報を削除する機能、インデックス情報の表示位置を並べ替えする機能、独自のメニュー情報を所定のメニュー情報に初期化する機能を備えていること
を特徴とする請求項１に記載の撮像装置。
【請求項３】
前記ＧＵＩ画面生成手段は、前記独自のメニュー情報に前記メインメニュー情報を操作するためのインデックス情報を含んだＧＵＩ画面を生成して前記画像表示手段に表示すること
を特徴とする請求項１に記載の撮像装置。
【請求項４】
前記ＧＵＩ画面生成手段は、前記メニュー作成手段で作成した独自のメニュー情報を、前記メインメニュー情報のインデックス情報に追加する機能を備えていること
を特徴とする請求項１に記載の撮像装置。
【請求項５】
前記ＧＵＩ画面生成手段は、前記メニュー作成手段で作成した独自のメニュー情報を、前記メインメニュー情報の任意の階層で表示されるインデックス情報に追加する機能を備えていること
を特徴とする請求項１に記載の撮像装置。
【請求項６】
装置を操作するためのグラフィカル・ユーザ・インターフェイス手段を備えたＧＵＩ画面を生成して画像表示手段に表示するＧＵＩ画面生成手段と、
前記画像表示手段に表示されるＧＵＩ画面を操作するための操作手段と、
前記操作手段によるＧＵＩ画面の操作に応じて装置を制御する制御手段と、具備している撮像装置であって、
前記撮像装置において設定・操作可能な機能を所定のカテゴリにより分類し、分類した機能のインデックス情報を段階的に表示し、表示されたインデックス情報を選択することにより所望の機能を設定・操作できる階層型のメインメニュー情報並びに前記インデックス情報に対応する設定項目を前記メインメニュー情報の表示順序に従って配置してシームレスに表示できるリスト情報が記憶されている記憶手段を備えており、
前記制御手段は、前記操作手段によって前記メインメニュー情報の中からインデックス情報の選択が行われると、前記ＧＵＩ画面生成手段を制御し、
前記ＧＵＩ画面生成手段は、前記制御手段の制御に従い、前記記憶手段のリスト情報の中から前記操作手段で選択されたインデックス情報に対応した設定項目を表示するＧＵＩ画面を生成して前記画像表示手段に表示すること
を特徴とする撮像装置。
【請求項７】
前記インデックス情報に対応した設定項目を表示するＧＵＩ画面は、前記リスト情報の配置に基づき設定項目をスクロール表示する機能を備えていること
を特徴とする請求項６に記載の撮像装置。
【請求項８】
前記インデックス情報に対応した設定項目を表示するＧＵＩ画面は、前記メインメニューにおいて隣接するインデックス情報の設定項目が表示される場合、その境界を示すグラフィック表示を行うこと
を特徴とする請求項６に記載の撮像装置。
【請求項９】
前記インデックス情報に対応した設定項目を表示するＧＵＩ画面は、前記メインメニューにおいて隣接するインデックス情報の設定項目が表示される場合、設定項目を選択できる方のインデックス情報を示すグラフィック情報を表示すること
を特徴とする請求項６に記載の撮像装置。
【請求項１０】
装置を操作するためのグラフィカル・ユーザ・インターフェイス手段を備えたＧＵＩ画面を生成して画像表示手段に表示するＧＵＩ画面生成手段と、
前記画像表示手段に表示されるＧＵＩ画面を操作するための操作手段と、
前記操作手段によるＧＵＩ画面の操作に応じて装置を制御する制御手段と、を具備している撮像装置おいて、
前記ＧＵＩ画面生成手段によって生成されるＧＵＩ画面は、前記操作手段による操作を前記制御手段で検知していないときは、該ＧＵＩ画面を終了させるためのグラフィカル・ユーザ・インターフェイスのみを表示し、前記操作手段による操作を前記制御手段で検知すると、該操作を確定するためのグラフィカル・ユーザ・インターフェイスのみを表示すること
を特徴とする撮像装置。
【請求項１１】
装置を操作するためのグラフィカル・ユーザ・インターフェイス手段を備えたＧＵＩ画面を生成して画像表示手段に表示するＧＵＩ画面生成手段と、
前記画像表示手段に表示されるＧＵＩ画面を操作するための操作手段と、
前記操作手段によるＧＵＩ画面の操作に応じて装置を制御する制御手段と、を具備している撮像装置であって、
前記撮像装置において設定・調整可能な数値データの範囲を複数の範囲に分割し、分割したそれぞれの範囲に応じた設定間隔を設定し、この設定間隔に応じて形状を変化させたグラフィック・データが記憶されている記憶手段を備えており、
前記制御手段は、前記操作手段による所定の操作を検知すると、前記ＧＵＩ画面生成手段を制御し、
前記ＧＵＩ画面生成手段は、前記制御手段の制御に従って、前記記憶手段に記憶されているグラフィック・データの中から該当するグラフィック・データを読み出し、該読み出したグラフィック・データに基づいて数値データを設定するためのＧＵＩ画面を生成して前記画像表示手段に表示すること
を特徴とする撮像装置。
【請求項１２】
装置を操作するためのグラフィカル・ユーザ・インターフェイス手段を備えたＧＵＩ画面を生成して画像表示手段に表示するＧＵＩ画面生成手段と、
前記画像表示手段に表示されるＧＵＩ画面を操作するための操作手段と、
前記操作手段によるＧＵＩ画面の操作に応じて装置を制御する制御手段と、を具備している撮像装置であって、
前記撮像装置における機能や設定情報を表す文字や図案などのグラフィック・データと、該グラフィック・データを画面表示するとき優先順位を定めたテーブル・データと、該グラフィック・データの配列情報が記憶してある記憶手段を備えており、
前記制御手段は、前記操作手段による所定の操作を検知すると、前記テーブル・データの優先順位に従って前記グラフィック・データに対応する装置各部の動作状態や設定状態を判別し、前記グラフィック・データの中から画面表示するグラフィック・データを選択し、
前記ＧＵＩ画面生成手段は、前記制御手段の制御に従い、前記選択されたグラフィック・データを前記記憶手段の配列情報に基づいて配置したＧＵＩ画面を生成して前記画像表示手段に表示すること
を特徴とする撮像装置。
【請求項１３】
装置を操作するためのグラフィカル・ユーザ・インターフェイス手段を備えたＧＵＩ画面を生成して画像表示手段に表示するＧＵＩ画面生成手段と、
前記画像表示手段に表示されるＧＵＩ画面を操作するための操作手段と、
前記操作手段によるＧＵＩ画面の操作に応じて装置を制御する制御手段と、を具備している撮像装置であって、
前記制御手段は、前記操作手段による所定の操作を検知すると、前記ＧＵＩ画面生成手段を制御し、
前記ＧＵＩ画面生成手段は、前記制御手段で検知した操作に応じたＧＵＩ画面を生成し、該生成したＧＵＩ画面を前記画像表示手段の最前面に重畳表示すること
を特徴とする撮像装置。
【請求項１４】
前記ＧＵＩ画面生成手段は、前記制御手段で検知した操作に応じたメッセージ通知画面を生成し、該生成したメッセージ通知画面を前記画像表示手段の最前面に一定の時間だけ重畳表示すること
を特徴とする請求項１３に記載の撮像装置。
【請求項１５】
前記ＧＵＩ画面生成手段は、複数のＧＵＩ画面を重畳表示するとき、各ＧＵＩ画面を異なる色や輝度に変化させる機能を備えていること
を特徴とする請求項１３に記載の撮像装置。
【請求項１６】
装置を操作するためのグラフィカル・ユーザ・インターフェイス手段を備えたＧＵＩ画面を生成して画像表示手段に表示するＧＵＩ画面生成手段と、
前記画像表示手段に表示されるＧＵＩ画面を操作するための操作手段と、
前記操作手段によるＧＵＩ画面の操作に応じて装置を制御する制御手段と、を具備している撮像装置であって、
記録装置や記録媒体に記録されている複数の画像データを分類・整理して１つにまとめて記録してあるフォルダの情報を取得するフォルダ情報取得手段と、
前記フォルダ内の画像データの縮小画像を一覧表示することができるインデックス画像情報を生成するインデックス画面生成手段と、
前記記録装置や記録媒体内のフォルダ一覧情報を作成するフォルダ情報作成手段と、を備えており、
前記制御手段は、前記操作手段による所定の操作を検知すると、前記フォルダ情報取得手段を制御し、
前記フォルダ情報取得手段は、前記制御手段の制御に従って、前記記録装置や記録媒体から前記フォルダの情報を取得し、
前記インデックス画面生成手段は、前記フォルダ情報取得手段で取得したフォルダの情報に基づいてインデックス画像情報を生成し、
前記ＧＵＩ画面生成手段は、前記インデックス画面生成手段で生成されたインインデックス画像情報に基づき、前記フォルダ情報作成手段及び前記フォルダ内の画像データを選択・操作するためのＧＵＩ画面を生成して前記画像表示手段に表示すること
を特徴とする撮像装置。
【請求項１７】
前記ＧＵＩ画面生成手段は、前記インデックス画像情報に基づいて生成されたＧＵＩ画面において前記フォルダ情報作成手段が選択されると、前記フォルダ情報作成手段が作成するフォルダ一覧情報に基づいて所望のフォルダを選択・変更するためのＧＵＩ画面を生成して前記画像表示手段に表示すること
を特徴とする請求項１６に記載の撮像装置。
【請求項１８】
前記フォルダ一覧情報に基づいて生成されたＧＵＩ画面は、選択したフォルダ内の画像データを表示することができる画像データ表示部を備えていること
を特徴とする請求項１７に記載の撮像装置。
【発明の詳細な説明】
【０００１】
【発明の属する技術分野】
本発明は、撮像装置に関するものである。詳しくは、撮像装置の機能を設定・調整するときの操作性や視認性を改善した撮像装置に関するものである。
【０００２】
【従来の技術】
近年、撮像装置では、機能や性能が向上するに従って、ユーザによって設定する項目が増加している。そのため、目的とする機能を設定しやすいような方法が様々に工夫されており、通常、撮像装置の設定項目や調整項目を所定のカテゴリに分類したインデックス情報を階層型に管理し、このインデックス情報を段階的に表示して項目を選択する階層型メニュー方式が用いられている。
【０００３】
階層型メニュー方式では、まず、分類したカテゴリに対応したインデックス情報の一覧表が「メインメニュー」として表示され、この「メインメニュー」の中から、所望のインデックス情報を選ぶと、その中に更に「サブメニュー」（二階層目以降のメニュー）があり、この「サブメニュー」の中に複数の項目がある、というように、複数の階層をもっており、メニューに表示される項目を段階的に選んで行くことで、所望の項目（機能）を設定できるようになっている。（例えば、特許文献１参照）。
【０００４】
【特許文献１】
特開平９−３０５３６０号公報（第３−４頁、図２）
【０００５】
【発明が解決しようとする課題】
しかしながら、従来の階層型メニュー方式などによる機能設定の方法では、以下、１）〜８）に示すように、装置の機能を設定・調整したり、表示したりするときの操作性や視認性がよくないという問題がある。
【０００６】
１）従来の階層型メニュー方式では、設定する項目が増えれば、分類するカテゴリを増やしたりするため、結果的には「メインメニュー」に表示されるインデックス情報や「サブメニュー」の階層数が多くなり、目的の設定画面に到達するまでのステップ数が多くなるため、必要な項目（機能）を探すことが困難になっている。
【０００７】
２）そこで、ユーザが頻繁に使用する設定項目や調整項目を選択してカスタマイズした「個人メニュー」を作成できるようにすることで、頻繁に実行する項目（機能）を少ないステップ数で選択できるようになるが、「個人メニュー」のみでは、「個人メニュー」に登録されていない他の項目（機能）を選択したいとき、「個人メニュー」に新規の項目（機能）を追加するときなど、必要な項目（機能）を探すことが難しくなる。
【０００８】
３）メニューで選択したインデックス情報と異なるインデックス情報に属している項目（機能）を選択するには、一旦、そのメニュー画面へ移動して、改めて目的のインデックス情報を選択して、そのインデックス情報に属した項目（機能）を表示させるという手順が必要である。
【０００９】
４）項目（機能）を設定する設定画面において、設定の変更を確定したり、次の画面へ進むためのボタン（以下、「決定」ボタンという）と、設定画面の前に表示されていた画面へ戻るためボタン（以下、「戻る」ボタンという）が２つ表示されている場合、例えば、設定変更の操作が実行されたのかがわからない、設定変更を確定した後に「戻る」ボタンを操作しても設定を元に戻すことはできないなど、どちらのボタンを操作できるのか、また、選択したボタンの操作を行うとどのようになるのかなど、画面表示を見ただけではわかりにくいという問題がある。
【００１０】
５）設定値を設定するときに表示される設定画面では、設定可能な設定値の範囲を一定の間隔、もしくは、デシベル値のような対数関数に応じた間隔に分割し、分割した間隔に応じて設定値を増減するとともに、文字情報やグラフィックで画面表示しているが、設定範囲の中で、細かく設定したい範囲、大まかに設定する範囲などがあり、各設定値でその範囲も異なるため、このような画面表示では直感的にわかりにくく、また、設定操作もやりにくいという問題がある。
【００１１】
６）設定する項目や機能の増加に伴い、これらを文字情報やアイコンなどで画面表示するときに、１画面で表示できなかったり、機器の状態によっては不要な設定項目のアイコンが表示されたりするなどの問題があり、また、文字情報やアイコンなどの表示位置や表示順序が決まっている場合にも同様の問題が発生する。
【００１２】
７）従来の撮影装置では、ある操作Ａを行うと、操作Ａに応じた画面Ａを現在表示中の画面に透過表示し、更に、別の操作Ｂを行うと、透過表示している画面Ａを終了させ、操作Ｂに応じた画面Ｂを表示中の画面に透過表示するので、画面の表示状態が大きく変化するため、違和感も大きく、ユーザに不安を与えることがあるという問題がある。
【００１３】
例えば、図２９（ａ）に示すように、ディスプレイ１２０Ａに撮影中の撮影画面９００が表示されている状態で、「露出補正の設定」の操作を実行すると、図２９（ｂ）に示すように、撮影画面９００に「露出補正の設定」のＧＵＩ画面が透過表示される。
【００１４】
更に、「露出補正の設定」のＧＵＩ画面が透過表示された画面９００Ａの状態で、画像の記録を開始しようとしたときは、図２９（ｃ）に示すように、一旦、「露出補正の設定」のＧＵＩ画面の透過表示が終了し、新たに「カセットが入っていません」というようなメッセージが撮影画面９００に透過表示される。
【００１５】
このように、画面の表示状態が大きく変化するため違和感も大きく、また、どの操作の途中で画面が変化したのかがわからなくなるという問題もある。
【００１６】
８）撮像装置にセットする記録媒体に複数の画像データを分類・整理して１つにまとめたフォルダが複数存在している場合、あるフォルダ内に記録してある画像データを表示している状態で、他のフォルダに変更したり、画像データに対する設定（消去禁止設定など）を行うことができず、記録された画像データに対する操作性がよくないという問題がある。
【００１７】
従って、撮像装置の機能を設定・調整するときの操作性や視認性を改善した撮像装置を提供することに解決しなければならない課題を有する。
【００１８】
【課題を解決するための手段】
前記課題を解決するため、本発明に係る撮像装置は次のような構成にすることである。
【００１９】
（１）装置を操作するためのグラフィカル・ユーザ・インターフェイス手段を備えたＧＵＩ画面を生成して画像表示手段に表示するＧＵＩ画面生成手段と、前記画像表示手段に表示されるＧＵＩ画面を操作するための操作手段と、前記操作手段によるＧＵＩ画面の操作に応じて装置を制御する制御手段と、を具備している撮像装置であって、前記撮像装置において設定・操作可能な機能を所定のカテゴリにより分類し、分類した機能のインデックス情報を段階的に表示し、表示されたインデックス情報を選択することにより所望の機能を設定・操作できる階層型のメインメニュー情報が記憶されている記憶手段と、前記記憶手段のメインメニュー情報の中から所望のインデックス情報を選択して独自のメニュー情報を作成することができるメニュー作成手段と、前記メニュー作成手段で作成された独自のメニュー情報を編集することができるメニュー編集手段と、を備えており、前記制御手段は、前記操作手段による所定の操作を検知すると、前記ＧＵＩ画面生成手段を制御し、前記ＧＵＩ画面生成手段は、前記制御手段の制御に従い、前記独自のメニュー情報に前記メニュー編集手段を操作するためのインデックス情報を含んだＧＵＩ画面を生成して前記画像表示手段に表示することを特徴とする撮像装置。
（２）前記メニュー編集手段は、前記独自のメニュー情報にインデックス情報を追加する機能、インデックス情報を削除する機能、インデックス情報の表示位置を並べ替えする機能、独自のメニュー情報を所定のメニュー情報に初期化する機能を備えていることを特徴とする（１）に記載の撮像装置。
（３）前記ＧＵＩ画面生成手段は、前記独自のメニュー情報に前記メインメニュー情報を操作するためのインデックス情報を含んだＧＵＩ画面を生成して前記画像表示手段に表示することを特徴とする（１）に記載の撮像装置。
（４）前記ＧＵＩ画面生成手段は、前記メニュー作成手段で作成した独自のメニュー情報を、前記メインメニュー情報のインデックス情報に追加する機能を備えていることを特徴とする（１）に記載の撮像装置。
（５）前記ＧＵＩ画面生成手段は、前記メニュー作成手段で作成した独自のメニュー情報を、前記メインメニュー情報の任意の階層で表示されるインデックス情報に追加する機能を備えていることを特徴とする（１）に記載の撮像装置。
【００２０】
（６）装置を操作するためのグラフィカル・ユーザ・インターフェイス手段を備えたＧＵＩ画面を生成して画像表示手段に表示するＧＵＩ画面生成手段と、前記画像表示手段に表示されるＧＵＩ画面を操作するための操作手段と、前記操作手段によるＧＵＩ画面の操作に応じて装置を制御する制御手段と、具備している撮像装置であって、前記撮像装置において設定・操作可能な機能を所定のカテゴリにより分類し、分類した機能のインデックス情報を段階的に表示し、表示されたインデックス情報を選択することにより所望の機能を設定・操作できる階層型のメインメニュー情報並びに前記インデックス情報に対応する設定項目を前記メインメニュー情報の表示順序に従って配置してシームレスに表示できるリスト情報が記憶されている記憶手段を備えており、前記制御手段は、前記操作手段によって前記メインメニュー情報の中からインデックス情報の選択が行われると、前記ＧＵＩ画面生成手段を制御し、前記ＧＵＩ画面生成手段は、前記制御手段の制御に従い、前記記憶手段のリスト情報の中から前記操作手段で選択されたインデックス情報に対応した設定項目を表示するＧＵＩ画面を生成して前記画像表示手段に表示することを特徴とする撮像装置。
（７）前記インデックス情報に対応した設定項目を表示するＧＵＩ画面は、前記リスト情報の配置に基づき設定項目をスクロール表示する機能を備えていることを特徴とする（６）に記載の撮像装置。
（８）前記インデックス情報に対応した設定項目を表示するＧＵＩ画面は、前記メインメニューにおいて隣接するインデックス情報の設定項目が表示される場合、その境界を示すグラフィック表示を行うことを特徴とする（６）に記載の撮像装置。
（９）前記インデックス情報に対応した設定項目を表示するＧＵＩ画面は、前記メインメニューにおいて隣接するインデックス情報の設定項目が表示される場合、設定項目を選択できる方のインデックス情報を示すグラフィック情報を表示することを特徴とする（６）に記載の撮像装置。
【００２１】
（１０）装置を操作するためのグラフィカル・ユーザ・インターフェイス手段を備えたＧＵＩ画面を生成して画像表示手段に表示するＧＵＩ画面生成手段と、前記画像表示手段に表示されるＧＵＩ画面を操作するための操作手段と、前記操作手段によるＧＵＩ画面の操作に応じて装置を制御する制御手段と、を具備している撮像装置おいて、前記ＧＵＩ画面生成手段によって生成されるＧＵＩ画面は、前記操作手段による操作を前記制御手段で検知していないときは、該ＧＵＩ画面を終了させるためのグラフィカル・ユーザ・インターフェイスのみを表示し、前記操作手段による操作を前記制御手段で検知すると、該操作を確定するためのグラフィカル・ユーザ・インターフェイスのみを表示することを特徴とする撮像装置。
【００２２】
（１１）装置を操作するためのグラフィカル・ユーザ・インターフェイス手段を備えたＧＵＩ画面を生成して画像表示手段に表示するＧＵＩ画面生成手段と、前記画像表示手段に表示されるＧＵＩ画面を操作するための操作手段と、前記操作手段によるＧＵＩ画面の操作に応じて装置を制御する制御手段と、を具備している撮像装置であって、前記撮像装置において設定・調整可能な数値データの範囲を複数の範囲に分割し、分割したそれぞれの範囲に応じた設定間隔を設定し、この設定間隔に応じて形状を変化させたグラフィック・データが記憶されている記憶手段を備えており、前記制御手段は、前記操作手段による所定の操作を検知すると、前記ＧＵＩ画面生成手段を制御し、前記ＧＵＩ画面生成手段は、前記制御手段の制御に従って、前記記憶手段に記憶されているグラフィック・データの中から該当するグラフィック・データを読み出し、該読み出したグラフィック・データに基づいて数値データを設定するためのＧＵＩ画面を生成して前記画像表示手段に表示することを特徴とする撮像装置。
【００２３】
（１２）装置を操作するためのグラフィカル・ユーザ・インターフェイス手段を備えたＧＵＩ画面を生成して画像表示手段に表示するＧＵＩ画面生成手段と、前記画像表示手段に表示されるＧＵＩ画面を操作するための操作手段と、前記操作手段によるＧＵＩ画面の操作に応じて装置を制御する制御手段と、を具備している撮像装置であって、前記撮像装置における機能や設定情報を表す文字や図案などのグラフィック・データと、該グラフィック・データを画面表示するとき優先順位を定めたテーブル・データと、該グラフィック・データの配列情報が記憶してある記憶手段を備えており、前記制御手段は、前記操作手段による所定の操作を検知すると、前記テーブル・データの優先順位に従って前記グラフィック・データに対応する装置各部の動作状態や設定状態を判別し、前記グラフィック・データの中から画面表示するグラフィック・データを選択し、前記ＧＵＩ画面生成手段は、前記制御手段の制御に従い、前記選択されたグラフィック・データを前記記憶手段の配列情報に基づいて配置したＧＵＩ画面を生成して前記画像表示手段に表示することを特徴とする撮像装置。
【００２４】
（１３）装置を操作するためのグラフィカル・ユーザ・インターフェイス手段を備えたＧＵＩ画面を生成して画像表示手段に表示するＧＵＩ画面生成手段と、前記画像表示手段に表示されるＧＵＩ画面を操作するための操作手段と、前記操作手段によるＧＵＩ画面の操作に応じて装置を制御する制御手段と、を具備している撮像装置であって、前記制御手段は、前記操作手段による所定の操作を検知すると、前記ＧＵＩ画面生成手段を制御し、前記ＧＵＩ画面生成手段は、前記制御手段で検知した操作に応じたＧＵＩ画面を生成し、該生成したＧＵＩ画面を前記画像表示手段の最前面に重畳表示することを特徴とする撮像装置。
（１４）前記ＧＵＩ画面生成手段は、前記制御手段で検知した操作に応じたメッセージ通知画面を生成し、該生成したメッセージ通知画面を前記画像表示手段の最前面に一定の時間だけ重畳表示することを特徴とする（１３）に記載の撮像装置。
（１５）前記ＧＵＩ画面生成手段は、複数のＧＵＩ画面を重畳表示するとき、各ＧＵＩ画面を異なる色や輝度に変化させる機能を備えていることを特徴とする（１３）に記載の撮像装置。
【００２５】
（１６）装置を操作するためのグラフィカル・ユーザ・インターフェイス手段を備えたＧＵＩ画面を生成して画像表示手段に表示するＧＵＩ画面生成手段と、
前記画像表示手段に表示されるＧＵＩ画面を操作するための操作手段と、前記操作手段によるＧＵＩ画面の操作に応じて装置を制御する制御手段と、を具備している撮像装置であって、記録装置や記録媒体に記録されている複数の画像データを分類・整理して１つにまとめて記録してあるフォルダの情報を取得するフォルダ情報取得手段と、前記フォルダ内の画像データの縮小画像を一覧表示することができるインデックス画像情報を生成するインデックス画面生成手段と、前記記録装置や記録媒体内のフォルダ一覧情報を作成するフォルダ情報作成手段と、を備えており、前記制御手段は、前記操作手段による所定の操作を検知すると、前記フォルダ情報取得手段を制御し、前記フォルダ情報取得手段は、前記制御手段の制御に従って、前記記録装置や記録媒体から前記フォルダの情報を取得し、前記インデックス画面生成手段は、前記フォルダ情報取得手段で取得したフォルダの情報に基づいてインデックス画像情報を生成し、前記ＧＵＩ画面生成手段は、前記インデックス画面生成手段で生成されたインインデックス画像情報に基づき、前記フォルダ情報作成手段及び前記フォルダ内の画像データを選択・操作するためのＧＵＩ画面を生成して前記画像表示手段に表示することを特徴とする撮像装置。
（１７）前記ＧＵＩ画面生成手段は、前記インデックス画像情報に基づいて生成されたＧＵＩ画面において前記フォルダ情報作成手段が選択されると、前記フォルダ情報作成手段が作成するフォルダ一覧情報に基づいて所望のフォルダを選択・変更するためのＧＵＩ画面を生成して前記画像表示手段に表示することを特徴とする（１６）に記載の撮像装置。
（１８）前記フォルダ一覧情報に基づいて生成されたＧＵＩ画面は、選択したフォルダ内の画像データを表示することができる画像データ表示部を備えていることを特徴とする（１７）に記載の撮像装置。
【００２６】
上述した構成を備えた撮像装置によって、独自のメニュー情報にメニュー編集手段を含んでいるので、独自のメニュー情報を作成するときやメニュー情報の編集が容易なＧＵＩ画面を表示することができる。
【００２７】
また、リスト情報に基づいて設定項目をシームレスにスクロール表示することができると共に、インデックス情報（シンボル）と設定項目との関係が画面表示され、この画面表示に対応したＧＵＩ画面に遷移することができるので、操作性のよいＧＵＩ画面を表示することができる。
【００２８】
また、ＧＵＩ画面において、装置の機能を選択したり決定するときに、操作可能なグラフィカル・ユーザ・インターフェイスのみを画面表示することができる。
【００２９】
また、設定・調整可能な数値データに応じて、その範囲を複数の範囲に分割し、分割したそれぞれの範囲に応じた所定の設定間隔を設定し、この設定間隔に応じてグラフィックの形状を変化させたデータを備えており、このデータに基づいて数値データの設定画面が生成されるので、各数値データに応じた視認性のよい設定画面を表示することができる。
【００３０】
また、撮像装置における機能や設定情報を表す文字や図案などのグラフィック・データと、グラフィック・データを画面表示するとき優先順位を定めたテーブル・データと、グラフィック・データの配列情報を有し、これらの情報に基づき、装置状態に応じて必要なアイコンや文字情報のみを所定の配置状態で画面表示することが可能となる。
【００３１】
また、操作に応じたＧＵＩ画面やメッセージ画面を生成し、画像表示手段の最前面に重畳表示するので、複数の画面を重畳表示することが可能となる。
【００３２】
また、記憶装置や記憶媒体に複数のフォルダが存在している場合でも、フォルダを選択・変更したり、フォルダ内の画像データを閲覧するときの操作が容易なＧＵＩ画面を表示することができる。
【００３３】
【発明の実施の形態】
次に、本発明に係る撮像装置による実施の形態について図面を参照して説明する。但し、図面は専ら解説のためのものであって、本発明の技術的範囲を限定するものではない。
【００３４】
図１は、本発明の撮像装置の外観を例示したものであり、ＣＣＤ（Ｃｈａｒｇｅ  Ｃｏｕｐｌｅｄ  Ｄｅｖｉｃｅ）などを備えた撮像部を有する装置本体と、装置本体に接続されたタッチパネル式のディスプレイを備えている。
【００３５】
図２は、図１の撮像装置において、本発明に関する主要部の概略構成を示したブロック図であり、撮像部１１０、ディスプレイ１２０、操作部１３０、システムマイコン１４０、画像表示デバイス１５０、記録装置１６０及び補助記録装置１６５、電源スイッチ１７０などから構成されている。
【００３６】
撮像部１１０は、システムマイコン１４０の制御に従い、撮像レンズによって被写体からの光を取り込み、ＣＣＤ（Ｃｈａｒｇｅ  Ｃｏｕｐｌｅｄ  Ｄｅｖｉｃｅ）などの撮像素子で光を電気信号に変換し、この電気信号に所定の信号処理を施した画像信号をシステムマイコン１４０へ送る。
【００３７】
ディスプレイ１２０は、ＬＣＤパネル（Ｌｉｑｕｉｄ  Ｃｒｙｓｔａｌ  Ｄｉｓｐｌａｙ  ｐａｎｅｌ）などを備えており、画像表示デバイス１５０の制御に従って、システムマイコン１４０を介して送られてくる画像信号やグラフィック情報を表示する。
【００３８】
また、ディスプレイ１２０は、ＬＤＣパネルに表示されているアイコンやメニュー情報などに触れると、これに応じた動作を実行するようにシステムマイコン１４０に対して制御信号を送るグラフィカル・ユーザ・インターフェイス機能を提供するＧＵＩ（Ｇｒａｐｈｉｃａｌ  Ｕｓｅｒ  Ｉｎｔｅｒｆａｃｅ）部１２５を備えたタッチパネル（ｔｏｕｃｈ  ｐａｎｅｌ／ｔｏｕｃｈ  ｓｃｒｅｅｎ）方式のディスプレイである。
【００３９】
操作部１３０は、操作キー１３１、リモコン受信部１３２、入力デバイスＩ／Ｆ（インターフェイス）１３３などを備えており、ユーザの操作に応じてシステムマイコン１４０に所定の動作を実行するように制御信号を送る。
【００４０】
操作キー１３１は、装置を操作するために本体に設けられたキーであり、これらのキー操作に応じ、システムマイコン１４０に対して所定の動作を実行するように制御信号を送る。例えば、操作キー１３１によってディスプレイ１２０に表示されるアイコンやメニュー情報などを選択することにより、これに応じた動作を実行するようにシステムマイコン１４０に対して制御信号を送る。
【００４１】
リモコン受信部１３２は、リモコン１３２ａのキー操作が行われると、有線又は無線（赤外線通信など）によって送られてくるキー操作信号を受信し、このキー操作信号に応じた制御信号をシステムマイコン１４０に送る。
【００４２】
入力デバイスＩ／Ｆ（インターフェイス）１３３は、装置を操作するための入力デバイス１３３ａ（例えば、キーボード、マウス、ダイヤルログなど）とのインターフェイスであり、入力デバイス１３３ａの操作が行われると、この操作に応じた制御信号をシステムマイコン１４０に送る。
【００４３】
システムマイコン１４０は、装置を制御するための基本プログラム（ＯＳ；Ｏｐｅｒａｔｉｎｇ  Ｓｙｓｔｅｍ）や各部を制御するための個別のプログラム、また、文字情報・アプリケーションプログラムの機能やファイルの種類を図案化したアイコン、機能を設定・確認するためのメニュー（一覧表）情報、画面表示するための画面データなどのグラフィック情報、個々のグラフィック情報を表示する順番（優先順位）を定めたテーブル・データなどが予め記憶してあり、また、ユーザによって設定された設定情報などを記憶するＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などのメモリを備えた記憶部を有している。
【００４４】
そして、この記憶部（メモリ）に記憶されたプログラムや設定情報などに基づき、装置内の各部を制御する。また、ディスプレイ１２０のＧＵＩ部１２５や操作部１３０からの制御信号や電源スイッチ１７０で与えられる動作モードに応じて装置内の各部を制御する。
【００４５】
画像表示デバイス１５０は、システムマイコン１４０の制御に従い、システムマイコン１４０を介して送られてくる画像信号やグラフィック情報、画面データなどに基づいてＧＵＩ画面を生成してディスプレイ１２０に表示させたり、また、これらの情報やデータを合成（重畳）してディスプレイ１２０に表示させる。
【００４６】
記録装置１６０及び補助記録装置１６５は、システムマイコン１４０の制御に従い、記録媒体（メモリカード、磁気テープ、光ディスクなど）に撮像部１１０で撮影した画像信号を記録したり、装置内部でやり取りされる各種情報（設定データなど）を記録する。
【００４７】
電源スイッチ１７０は、スライドリターン方式などのスイッチによって装置への電源供給のオン・オフを行うと共に、装置の動作状態（例えば、磁気テープに記録するモードかメモリカードなどに記録するモードか）を示す動作モードの切り替えをシステムマイコン１４０に指示する。
【００４８】
次に、このような構成からなる撮像装置において、以下の［１］〜［８］に示す項目を順次説明する。
【００４９】
［１］：メニュー情報の編集
［２］：ＧＵＩ画面におけるメニュー情報の配置
［３］：メニュー項目のスクロール表示
［４］：操作の選択／決定のＧＵＩ表示
［５］：数値データの設定画面
［６］：アイコンや文字情報の配列表示
［７］：重畳表示
［８］：フォルダ選択     
【００５０】
なお、これらの処理・動作は、システムマイコン１４０の記憶部（メモリ）などに記憶されているプログラムに基づいて実行されるものである。
【００５１】
［１］：メニュー情報の編集
まず、独自のメニュー情報を編集するときの動作について図３のフローチャートを参照しながら説明する。     
【００５２】
操作部１３０を操作する、又は、ＬＣＤパネルにタッチしてディスプレイ１２０に表示されているアイコン又はメニュー情報の中から「個人メニュー」を選択すると、システムマイコン１４０は、操作部１３０又はＧＵＩ部１２５からの制御信号に応じて画面表示デバイス１５０を制御する。
【００５３】
「個人メニュー」とは、撮像装置の機能を設定する設定項目のうち、使用頻度が高い設定項目を個別に選択して作成する独自のメニュー情報である。
【００５４】
「個人メニュー」を選択すると、操作部１３０又はＧＵＩ部１２５は、システムマイコン１４０に所定の制御信号を送出する。
【００５５】
システムマイコン１４０は、操作部１３０又はＧＵＩ部１２５からの制御信号に応じて画像表示デバイス１５０を制御し、記憶部（メモリ）に記憶されている独自のメニュー情報（「個人メニュー」）及びその画像データに基づいて「個人メニュー」のＧＵＩ画面１００を生成し、ディスプレイ１２０に表示させる（ＳＴ１００）。
【００５６】
ＧＵＩ画面１００は、例えば、図４に示すように、撮像装置の機能を設定する設定項目のうち、個別に選択した設定項目を指定するための「設定項目」ボタン群１０と、設定項目が複数個ある場合、別の「設定項目」ボタン群１０'を表示させるためにＧＵＩ画面を切り換える「切換」ボタン１１と、複数のＧＵＩ画面１００が存在している場合、現在表示中の画面（ページ）番号／全体の画面（ページ）数を表示する画面番号表示部１３と、ＧＵＩ画面１００を終了させる「終了」ボタン１２などから構成され、「設定項目」ボタン群１０の中に「個人メニュー」の設定項目を編集操作するための「メニュー編集」ボタン１５が含まれている。
【００５７】
ここで、ＧＵＩ画面１００で表示されている「設定項目」ボタン群１０の中に所望の設定項目がある場合、操作部１３０を操作する、又は、ＬＣＤパネルにタッチして該当する「設定項目」ボタンを選択・操作する（ＳＴ１０１）。
【００５８】
一方、操作部１３０を操作する、又は、ＬＣＤパネルにタッチして「切換」ボタン１１を選択・操作すると、システムマイコン１４０は、記憶部（メモリ）に記憶されている別の「設定項目」ボタン群１０で構成されたＧＵＩ画面１００を生成し、ディスプレイ１２０に表示させる（ＳＴ１０１→ＳＴ１０２→ＳＴ１０３→ＳＴ１０１）。
【００５９】
そして、所望の「設定項目」ボタンが選択されると、操作部１３０又はＧＵＩ部１２５は、システムマイコン１４０に所定の制御信号を送出し、システムマイコン１４０では、選択されたボタンが「メニュー編集」ボタン１５であるか否かを判定する（ＳＴ１０１→ＳＴ１０４）。
【００６０】
「メニュー編集」ボタン１５でない場合、システムマイコン１４０は、操作部１３０又はＧＵＩ部１２５からの制御信号に応じて画像表示デバイス１５０を制御し、選択された「設定項目」ボタンに対応したＧＵＩ画面をディスプレイ１２０に表示させ、所望の設定操作を実行することが可能となる（ＳＴ１０４→ＳＴ１０５、ＳＴ１０６）。
【００６１】
一方、「メニュー編集」ボタン１５である場合は、システムマイコン１４０は、操作部１３０又はＧＵＩ部１２５からの制御信号に応じて画像表示デバイス１５０を制御し、「個人メニュー」の設定項目を編集操作するためのＧＵＩ画面１００Ａを生成し、ディスプレイ１２０に表示させる（ＳＴ１０４→ＳＴ１０７）。
【００６２】
ＧＵＩ画面１００Ａは、例えば、図５に示すように、「個人メニュー」に新たな設定項目を追加するための「追加」ボタン、「個人メニュー」に登録してある設定項目を削除するための「削除」ボタン、ＧＵＩ画面１００における設定項目ボタンの表示位置を並べ替えるための「並べ替え」ボタン、設定項目を初期化する「初期化」ボタンからなる編集ボタン群１５Ａと、ＧＵＩ画面１００Ａを終了させる「終了」ボタン１２Ａなどから構成される。
【００６３】
そして、操作部１３０を操作する、又は、ＬＣＤパネルにタッチして編集ボタン群１５Ａの中から所望の編集ボタンを選択することにより「個人メニュー」の編集操作を実行することができる（ＳＴ１０７→ＳＴ１０８）。
【００６４】
続いて、図５のＧＵＩ画面１００Ａから「個人メニュー」の編集操作を実行するときの動作について、以下の（Ａ）〜（Ｄ）で説明する。
【００６５】
（Ａ）「個人メニュー」に新たな「設定項目」ボタンを「追加」する場合の動作について図６のフローチャートを参照しながら説明する。
【００６６】
図５のＧＵＩ画面１００Ａにおける編集ボタン群１５Ａの中から、「追加」ボタンを選択すると、操作部１３０又はＧＵＩ部１２５は、システムマイコン１４０に所定の制御信号を送出し、システムマイコン１４０では、画像表示デバイス１５０を制御し、追加する設定項目を選択・指定するためのリスト情報を表示するＧＵＩ画面をディスプレイ１２０に表示させる（ＳＴ１２０）。
【００６７】
そして、操作部１３０を操作する、又は、ＬＣＤパネルにタッチしてＧＵＩ画面に表示されたリスト情報の中から、「個人メニュー」に追加したい所望の設定項目を選択する（ＳＴ１２１）。
【００６８】
選択操作部１３０又はＧＵＩ部１２５は、所望の設定項目が選択されると、システムマイコン１４０に所定の制御信号を送出し、システムマイコン１４０では、記憶部（メモリ）に記憶してある独自のメニュー情報を読み出して選択された設定項目が登録されているか否かを判別する（ＳＴ１２２）。
【００６９】
該当する設定項目が登録されていない場合、システムマイコン１４０は、読み出した独自のメニュー情報にこの設定項目の情報を追加し、新たな設定項目が追加された独自のメニュー情報を記憶部（メモリ）に書き込む（ＳＴ１２２→ＳＴ１２３、ＳＴ１２４）。
【００７０】
一方、該当する設定項目が登録されていた場合、システムマイコン１４０は、画像表示デバイス１５０を制御し、エラー表示をディスプレイ１２０に表示させる（ＳＴ１２２→ＳＴ１２５）。
【００７１】
（Ｂ）「個人メニュー」の「設定項目」ボタンを「削除」する場合の動作について図７のフローチャートを参照しながら説明する。
【００７２】
図５のＧＵＩ画面１００Ａにおける編集ボタン群１５Ａの中から、「削除」ボタンを選択すると、操作部１３０又はＧＵＩ部１２５は、システムマイコン１４０に所定の制御信号を送出し、システムマイコン１４０では、画像表示デバイス１５０を制御し、「個人メニュー」から「設定項目」ボタンを削除するためのＧＵＩ画面（図４参照）をディスプレイ１２０に表示させる（ＳＴ１４０）。
【００７３】
そして、操作部１３０を操作する、又は、ＬＣＤパネルにタッチしてＧＵＩ画面に表示された「設定項目」ボタン群１０の中に削除したい「設定項目」ボタンがある場合、操作部１３０を操作する、又は、ＬＣＤパネルにタッチして該当する「設定項目」ボタンを選択する（ＳＴ１４１）。
【００７４】
一方、「設定項目」ボタン群１０の中に削除したい「設定項目」ボタンがない場合、「切換」ボタン１１を選択・操作すると、システムマイコン１４０は、記憶部（メモリ）に記憶されている別の「設定項目」ボタン群１０で構成されたＧＵＩ画面１００を生成し、ディスプレイ１２０に表示させる（ＳＴ１４１→ＳＴ１４２→ＳＴ１４３→ＳＴ１４１）。
【００７５】
そして、削除したい「設定項目」ボタンが選択されると、操作部１３０又はＧＵＩ部１２５は、システムマイコン１４０に所定の制御信号を送出し、システムマイコン１４０は、この制御信号に応じて画像表示デバイス１５０を制御し、削除を実行するか否かの確認メッセージをディスプレイ１２０に表示する（ＳＴ１４１→ＳＴ１４４）。
【００７６】
「削除」操作を実行する場合、システムマイコン１４０は、記憶部（メモリ）に記憶してある独自のメニュー情報を読み出して、該当する「設定項目」ボタンに対応する情報（データ）を削除し、該当の情報（データ）を削除した独自のメニュー情報を記憶部（メモリ）に書き込む（ＳＴ１４４→ＳＴ１４５、ＳＴ１４６）。
【００７７】
「削除」操作を実行しない場合は、所定のＧＵＩ画面に戻って終了となる（ＳＴ１４４→終了）。
【００７８】
（Ｃ）「個人メニュー」の「初期化」する場合の動作について図８のフローチャートを参照しながら説明する。
【００７９】
図５のＧＵＩ画面１００Ａにおける編集ボタン群１５Ａの中から、「初期化」ボタンを選択すると、操作部１３０又はＧＵＩ部１２５は、システムマイコン１４０に所定の制御信号を送出し、システムマイコン１４０では、画像表示デバイス１５０を制御し、「個人メニュー」の初期化を実行するか否かの確認メッセージをディスプレイ１２０に表示する（ＳＴ１６０、ＳＴ１６１）。
【００８０】
「初期化」操作を実行する場合、システムマイコン１４０は、デフォルトのメニュー情報を記憶部（メモリ）に書き込む（コピーする）、もしくは、独自のメニュー情報を消去するなどの初期化処理を実行する（ＳＴ１６１→ＳＴ１６２）。
【００８１】
「初期化」処理を実行しない場合は、所定のＧＵＩ画面に戻って終了となる（ＳＴ１６１→終了）。
【００８２】
（Ｄ）「個人メニュー」の「設定項目」ボタンを「並べ替え」する場合の動作について図９のフローチャートを参照しながら説明する。
【００８３】
図５のＧＵＩ画面１００Ａにおける編集ボタン群１５Ａの中から、「並べ替え」ボタンを選択すると、操作部１３０又はＧＵＩ部１２５は、システムマイコン１４０に所定の制御信号を送出し、システムマイコン１４０では、画像表示デバイス１５０を制御し、図１０（ａ）に示すような「個人メニュー」の「設定項目」ボタンを並べ替えするためのＧＵＩ画面１００Ｂをディスプレイ１２０に表示させる（ＳＴ１８０）。
【００８４】
そして、操作部１３０を操作する、又は、ＬＣＤパネルにタッチしてＧＵＩ画面１００Ｂに表示された「設定項目」ボタン群のうち、移動させたい「設定項目」ボタンがある場合、操作部１３０を操作する、又は、ＬＣＤパネルにタッチして該当する「設定項目」ボタンを選択する（ＳＴ１８１）。
【００８５】
一方、「設定項目」ボタン群１０の中に移動させたい「設定項目」ボタンがない場合、「切換」ボタン（図４参照）を選択・操作すると、システムマイコン１４０は、記憶部（メモリ）に記憶されている別の「設定項目」ボタン群１０'で構成されたＧＵＩ画面１００Ｂ'を生成し、ディスプレイ１２０に表示させる（ＳＴ１８１→ＳＴ１８２→ＳＴ１８３→ＳＴ１８１）。
【００８６】
そして、移動させたい「設定項目」ボタンが選択されると、操作部１３０又はＧＵＩ部１２５は、システムマイコン１４０に所定の制御信号を送出し、システムマイコン１４０は、この制御信号に応じて画像表示デバイス１５０を制御し、対象ボタンの表示状態を変化させるとともに、「個人メニュー」の「設定項目」ボタンを並べ替えるためのＧＵＩ画面１００Ｃをディスプレイ１２０に表示させる（ＳＴ１８１→ＳＴ１８４）。
【００８７】
ここでは、図１０（ｂ）に示す「項目３」ボタンが選択されるものとする。
【００８８】
次に、ＧＵＩ画面１００Ｃにおいて、操作部１３０を操作する、又は、ＬＣＤパネルにタッチして選択したボタンの移動位置を指定すると、システムマイコン１４０は、画像表示デバイス１５０を制御し、対象ボタンと指定した位置のボタンを入れ替えた状態のＧＵＩ画面１００Ｄをディスプレイ１２０に表示させる（ＳＴ１８５、ＳＴ１８６）。
【００８９】
ここでは、「項目４」ボタンの位置を指定すると、図１０（ｃ）に示すように、対象ボタンである「項目３」と「項目４」ボタンの表示位置が入れ替わったＧＵＩ画面１００Ｄがディスプレイ１２０に表示される。
【００９０】
次に、移動操作を続けるか否かを選択する（ＳＴ１８７）。
【００９１】
ここで、移動操作を続ける場合、ＧＵＩ画面１００Ｄにおいて、再度、移動させたい「設定項目」ボタンを設定し、上述した操作を繰り返す（ＳＴ１８７→ＳＴ１８１→・・・）。
【００９２】
例えば、図１０（ｄ）に示すように、引き続いて「項目３」ボタンの移動を続ける場合、対象ボタンである「項目３」を選択し、「項目５」ボタンの位置を移動位置に指定すると、「項目３」ボタンと「項目５」ボタンの表示位置が入れ替わったＧＵＩ画面１００Ｅがディスプレイ１２０に表示される。
【００９３】
そして、ボタンの移動を終了する、即ち、「設定項目」ボタンの位置を確定するときは、ＧＵＩ画面の「ＯＫ」ボタン１３ｃを操作する（ＳＴ１８７→１８８）。
【００９４】
操作部１３０又はＧＵＩ部１２５は、「ＯＫ」ボタン１３ｃが操作されると、システムマイコン１４０に所定の制御信号を送出し、システムマイコン１４０は、この制御信号に応じて、現在のＧＵＩ画面における「設定項目」ボタン群１０の位置情報を記憶部（メモリ）に記憶する（ＳＴ１８９）。
【００９５】
そして、画像表示デバイス１５０を制御し、図１０（ｅ）に示すように、「設定項目」ボタン群１０が新たに並べ替えられた「個人メニュー」のＧＵＩ画面１００'がディスプレイ１２０に表示される。
【００９６】
［２］：ＧＵＩ画面におけるメニュー情報の配置
次に、ＧＵＩ画面におけるメニュー情報の配置及びその動作について図１１のフローチャートを参照しながら説明する。     
【００９７】
操作部１３０を操作する、又は、ＬＣＤパネルにタッチしてディスプレイ１２０に表示されているアイコン又はメニュー情報の中から「個人メニュー」を選択すると、操作部１３０又はＧＵＩ部１２５は、所定の制御信号をシステムマイコン１４０に送る。
【００９８】
「個人メニュー」とは、撮像装置の機能を設定する設定項目のうち、使用頻度が高い設定項目をユーザが個別に選択して作成する独自のメニュー情報である。
【００９９】
システムマイコン１４０は、操作部１３０又はＧＵＩ部１２５からの制御信号に応じて、「個人メニュー」が選択されたか否かを判別する（ＳＴ２００）。
【０１００】
「個人メニュー」の選択でない場合、「個人メニュー」に関連する処理・操作は行わず、終了となる（ＳＴ２００→終了）。
【０１０１】
「個人メニュー」が選択された場合、システムマイコン１４０は、操作部１３０又はＧＵＩ部１２５からの制御信号に応じて画像表示デバイス１５０を制御し、記憶部（メモリ）に記憶されている独自のメニュー情報及びその画像データに基づいて「個人メニュー」のＧＵＩ画面１００（図４参照）を生成し、ディスプレイ１２０に表示させる（ＳＴ２００→ＳＴ２０１）。
【０１０２】
ＧＵＩ画面１００の「設定項目」ボタン群１０は、例えば、図１２（ａ）に示すような「明るさ調整」、「画サイズ調整」、「ＡＵＤＩＯ  ＶＡＬ」、「言語設定」、「ホワイトバランス」などの「設定項目」ボタンと共に、撮像装置の電源スイッチ１７０をオンにしたときに、デフォルト表示される「メインメニュー」を呼び出すための「メインメニュー」ボタン１０ｘなどによって構成される。
【０１０３】
ＧＵＩ画面１００が表示されると、システムマイコン１４０は、「設定項目」ボタンの操作が行われるか否かの検知状態となる（ＳＴ２０２）。
【０１０４】
そして、操作部１３０を操作する、又は、ＬＣＤパネルにタッチしてＧＵＩ画面１００のボタンが選択されると、操作部１３０又はＧＵＩ部１２５は、システムマイコン１４０に所定の制御信号を送出する（ＳＴ２０２→ＳＴ２０３）。
【０１０５】
システムマイコン１４０は、操作部１３０又はＧＵＩ部１２５から所定の制御信号を検知すると、「メインメニュー」ボタン１０ｘが操作されたか否かを判別する（ＳＴ２０４）。
【０１０６】
「メインメニュー」ボタン１０ｘの操作でない場合、システムマイコン１４０は、操作部１３０又はＧＵＩ部１２５からの制御信号に応じて画像表示デバイス１５０を制御し、選択された「設定項目」ボタンに対応したＧＵＩ画面をディスプレイ１２０に表示させる（ＳＴ２０４→ＳＴ２０５）。
【０１０７】
例えば、図１２（ａ）において「ホワイトバランス」ボタンが選択されると、システムマイコン１４０は、操作部１３０又はＧＵＩ部１２５からの制御信号に応じて画像表示デバイス１５０を制御し、図１２（ｅ）に示すような「ホワイトバランス」を設定するためのＧＵＩ画面２０１ａを生成し、ディスプレイ１２０に表示させる（ＳＴ２０５→ＳＴ２０９）。
【０１０８】
そして、ユーザはディスプレイ１２０に表示されるＧＵＩ画面２０１ａに従い、操作部１３０を操作する、又は、ＬＣＤパネルにタッチして設定操作を実行する（ＳＴ２１０）。
【０１０９】
一方、「メインメニュー」ボタン１０ｘが操作された場合、システムマイコン１４０は、操作部１３０又はＧＵＩ部１２５からの制御信号に応じて画像表示デバイス１５０を制御し、「メインメニュー」のＧＵＩ画面２００を生成し、ディスプレイ１２０に表示させる（ＳＴ２０４→ＳＴ２０６）。
【０１１０】
ＧＵＩ画面２００は、例えば、図１２（ｂ）に示すように、撮像装置の全ての設定項目を大分類したインデックス情報の一覧が表示される。
【０１１１】
そして、操作部１３０を操作する、又は、ＬＣＤパネルにタッチしてＧＵＩ画面２００のインデックス情報の中から、所望の設定項目が含まれているインデックス情報を選択する（ＳＴ２０７）。
【０１１２】
システムマイコン１４０は、操作部１３０又はＧＵＩ部１２５からの制御信号に応じて画像表示デバイス１５０を制御し、選択されたインデックス情報に対応する設定項目を選択するためのＧＵＩ画面を生成し、ディスプレイ１２０に表示させる（ＳＴ２０８）。
【０１１３】
例えば、図１２（ｂ）に示すＧＵＩ画面２００の「カメラ設定」のインデックス情報を選択すると、図１２（ｃ）に示すように、設定できる項目「ホワイトバランス」、「ゲイン」、「シャープネス」などの「設定項目」ボタンから構成されるＧＵＩ画面２０１が表示され、「時間設定」のインデックス情報を選択すると、図１２（ｄ）に示すように、設定できる項目「標準時刻設定」、「地域設定」などの「設定項目」ボタンから構成されるＧＵＩ画面２０２が表示される。
【０１１４】
そして、このＧＵＩ画面２０１又は２０２において、操作部１３０を操作する、又は、ＬＣＤパネルにタッチして所望の「設定項目」ボタンを選択すると、操作部１３０又はＧＵＩ部１２５は、所定の制御信号をシステムマイコン１４０に送る（ＳＴ２０８）。
【０１１５】
ここでは、図１２（ｃ）に示すＧＵＩ画面２０１の「ホワイトバランス」ボタンを選択する。
【０１１６】
システムマイコン１４０は、操作部１３０又はＧＵＩ部１２５からの制御信号に応じて画像表示デバイス１５０を制御し、選択された「ホワイトバランス」を設定するためのＧＵＩ画面２０１ａを生成し、ディスプレイ１２０に表示させる（ＳＴ２０９）。
【０１１７】
ユーザは、ディスプレイ１２０に表示されるＧＵＩ画面２０１ａに従い、操作部１３０を操作する、又は、ＬＣＤパネルにタッチして「ホワイトバランス」の設定操作を実行する（ＳＴ２１０）。
【０１１８】
また、各ＧＵＩ画面で「終了」ボタンが操作されると、システムマイコン１４０は、操作部１３０又はＧＵＩ部１２５からの制御信号に応じて画像表示デバイス１５０を制御し、「個人メニュー」のＧＵＩ画面１００の表示を終了とする（ＳＴ２０４→ＳＴ２０５→ＳＴ２１１→終了）。
【０１１９】
このように「個人メニュー」のＧＵＩ画面１００における「設定項目」ボタン群１０の中に「メインメニュー」ボタン１０ｘを含ませた構成にすることで、「個人メニュー」のＧＵＩ画面からすぐに「メインメニュー」のＧＵＩ画面に遷移することができる。
【０１２０】
［３］：メニュー項目のスクロール表示
次に、メニュー情報に基づいて選択・操作するときのＧＵＩ画面について図１３のフローチャートを参照しながら説明する。  
【０１２１】
まず、操作部１３０を操作する、又は、ＬＣＤパネルにタッチして撮像装置の設定項目を大分類したインデックス情報を一覧するための「メインメニュー」を選択すると、操作部１３０又はＧＵＩ部１２５は、システムマイコン１４０に所定の制御信号を送出する。
【０１２２】
システムマイコン１４０は、操作部１３０又はＧＵＩ部１２５からの制御信号に応じて画像表示デバイス１５０を制御し、インデックス情報の一覧を表示するＧＵＩ画面２００をディスプレイ１２０に表示させる（ＳＴ３００）。
【０１２３】
ＧＵＩ画面２００は、例えば、図１４（ａ）に示すように、撮像装置の設定項目を大分類したインデックス情報の一覧を表示するインデックス表示部２０と、インデックス表示部２０に表示されるインデックス情報をスクロールさせて選択するための「移動」ボタン２１と、ＧＵＩ画面７０を終了させる「終了」ボタン２２、インデックス情報の選択を決定するための「ＯＫ」ボタン２３などから構成される。
【０１２４】
また、インデックス表示部２０に表示される各インデックス情報は、インデックス情報を図案化したシンボル２０ａと、インデックス情報を説明する文字情報２０ｂから構成される。
【０１２５】
そして、ＧＵＩ画面２００において、操作部１３０を操作する、又は、ＬＣＤパネルにタッチして「移動」ボタン２１を操作すると、インデックス表示部２０に表示されているインデックス情報がスクロールし、現在選択されているインデックス情報の表示状態が変化する（ＳＴ３０１→ＳＴ３０２→ＳＴ３００）。
【０１２６】
また、「終了」ボタン２２を操作すると、「インデックス表示」選択前の画面に戻る（ＳＴ３０１→終了）。
【０１２７】
一方、「ＯＫ」ボタン２３を操作し、例えば、図１４（ａ）に示すように、インデックス情報「項目３」を選択すると、操作部１３０又はＧＵＩ部１２５は、システムマイコン１４０に所定の制御信号を送出する。
【０１２８】
システムマイコン１４０は、操作部１３０又はＧＵＩ部１２５からの制御信号に応じ、画面表示デバイス１５０を制御し、インデックス情報「項目３」に対応する設定項目の情報に基づいて、設定項目を選択・操作するためのＧＵＩ画面３００を生成し、ディスプレイ１２０に表示する（ＳＴ３０１→ＳＴ３０３）。
【０１２９】
ＧＵＩ画面３００は、例えば、図１４（ｂ）に示すように、設定項目の一覧を表示する設定項目表示部３０、設定項目表示部３０に表示されている設定項目をスクロールさせて選択するための「移動」ボタン３１、ＧＵＩ画面３００を終了させる「終了」ボタン３２、設定項目の選択を決定するための「ＯＫ」ボタン３３、インデックス情報に対応するシンボル２０ａを表示するシンボル表示部３４、ＧＵＩ画面２００（「メインメニュー」画面）に戻るための「戻る」ボタン３５などから構成される。
【０１３０】
なお、設定項目表示部３０には、表示される設定項目の個数に応じて、ＧＵＩ画面２００のインデックス表示部２０（図１４（ａ）参照）において隣接しているインデックス情報に対応した設定項目が表示され、その境界を示す境界ラインＬが表示される。
【０１３１】
図１４（ｂ）では、設定項目表示部３０に、インデックス情報「項目３」に対応した設定項目「ｃ１」〜「ｃ４」が表示されると共に、ＧＵＩ画面２００において隣接するインデックス情報「項目２」に対応する設定項目「ｂ５」が表示され、設定項目「ｃ１」と設定項目「ｂ５」の境界部に境界ラインＬが表示される。
【０１３２】
そして、ＧＵＩ画面３００において、操作部１３０を操作する、又は、ＬＣＤパネルにタッチして「移動」ボタン３１を操作すると、設定項目表示部３０に表示されている設定項目がスクロールし、現在選択されている設定項目の表示状態が変化する（ＳＴ３０３→ＳＴ３０４→ＳＴ３０５→ＳＴ３０３）。
【０１３３】
なお、「移動」ボタン３１を操作したときに境界ラインＬを超えると、隣接するインデックス情報の設定項目がシームレスに表示される。
【０１３４】
例えば、移動ボタン３１を操作して設定項目をスクロールすると、設定項目表示部３０は、図１５（ａ）のから図１５（ｂ）の表示状態に変わり、インデックス情報「項目３」に対応する設定項目「ｃ１」と、インデックス情報「項目２」に対応する設定項目「ｂ２」〜「ｂ５」が表示され、シンボル表示部３４には、インデックス情報「項目２」のシンボル「ｂ」が表示される。
【０１３５】
このように、ＧＵＩ画面３００では、隣接するインデックス情報の境界に境界ラインＬを表示し、設定項目をシームレスに表示することにより、インデックス情報の一覧が表示されるＧＵＩ画面２００に戻らなくても、全ての設定項目を確認・設定することができる。即ち、各インデックス情報に対応している設定項目は、全て連続したリスト形式で配置されており、連続して表示できるようになっている。
【０１３６】
ここで、ＧＵＩ画面３００において「ＯＫ」ボタン３３を操作すると、操作部１３０又はＧＵＩ部１２５は、システムマイコン１４０に所定の制御信号を送出する（ＳＴ３０３→ＳＴ３０４→ＳＴ３０６）。
【０１３７】
システムマイコン１４０は、操作部１３０又はＧＵＩ部１２５からの制御信号に応じ、画面表示デバイス１５０を制御し、設定項目表示部３０で表示状態が変化している設定項目に対応した設定画面をディスプレイ１２０に表示させる（ＳＴ３０６→ＳＴ３０７）。
【０１３８】
ユーザは、ディスプレイ１２０に表示される設定画面（図１２（ｅ）参照）に従い、操作部１３０を操作する、又は、ＬＣＤパネルにタッチして設定操作を実行する（ＳＴ３０８）。
【０１３９】
一方、ＧＵＩ画面３００において、「戻る」ボタン３５を操作すると、インデックス情報「項目３」が選択された状態のＧＵＩ画面２００に戻る（ＳＴ３０３→ＳＴ３０４→ＳＴ３００）。
【０１４０】
なお、図１６（ａ）に示すように、ＧＵＩ画面２００でインデックス情報「項目３」を選択してＧＵＩ画面３００に遷移し、ＧＵＩ画面３００おいて設定項目をスクロールし、境界ラインＬを超えた状態、例えば、ＧＵＩ画面２００のインデックス情報「項目２」に対応する設定項目が表示された状態で「戻る」ボタン３５を操作すると、図１６（ｂ）に示すように、インデックス情報「項目２」が選択された状態のＧＵＩ画面２００に戻る。
【０１４１】
また、ＧＵＩ画面３００において、「終了」ボタン３２を操作すると、「メインメニュー」を選択前の画面状態に戻る（ＳＴ３０３→ＳＴ３０４→終了）。
【０１４２】
［４］：操作の選択／決定のＧＵＩ表示
次に、装置の機能を選択したり決定するときのＧＵＩ画面について図１７を参照しながら説明する。     
【０１４３】
メニュー情報が表示されているＧＵＩ画面において、操作部１３０を操作する、又は、ＬＣＤパネルにタッチして「設定項目」ボタンを選択すると、操作部１３０又はＧＵＩ部１２５から所定の制御信号がシステムマイコン１４０に送られる。
【０１４４】
システムマイコン１４０は、操作部１３０又はＧＵＩ部１２５からの制御信号に応じて画面表示デバイス１５０を制御し、「設定項目」ボタンに対応した機能設定画面、ＧＵＩ画面４００をディスプレイ１２０に表示させる。
【０１４５】
ＧＵＩ画面４００は、例えば、図１７（ａ）に示すような、機能Ａ〜Ｃを設定するための設定ボタン群４０と、ＧＵＩ画面４００の前の表示画面に戻るための「戻る」ボタン４１から構成されたＧＵＩ画面を表示する。
【０１４６】
このとき、現在は設定されている機能、例えば、「機能Ｂ」の設定ボタンの表示状態が他の設定ボタンと異なる表示状態で表示され、設定されていることが明示される。
【０１４７】
ＧＵＩ画面４００において、現在の設定のままでよい場合、操作部１３０を操作する、又は、ＬＣＤパネルにタッチして「戻る」ボタン４１を選択すると、操作部１３０又はＧＵＩ部１２５から所定の制御信号がシステムマイコン１４０に送られ、システムマイコン１４０は、操作部１３０又はＧＵＩ部１２５からの制御信号に応じて画面表示デバイス１５０を制御し、ＧＵＩ画面４００の前の表示画面をディスプレイ１２０に表示する。
【０１４８】
一方、別の機能に設定変更するとき、操作部１３０を操作する、又は、ＬＣＤパネルにタッチして設定ボタン群４０の中から、別の設定ボタンを選択する、例えば、図１７（ａ）の「機能Ｃ」の設定ボタンを選択する。
【０１４９】
「機能Ｃ」の設定ボタンが選択されると、操作部１３０又はＧＵＩ部１２５から所定の制御信号がシステムマイコン１４０に送られ、システムマイコン１４０は、操作部１３０又はＧＵＩ部１２５からの制御信号に応じて画面表示デバイス１５０を制御し、図１７（ｂ）に示すＧＵＩ画面４００ａのように、「機能Ｃ」の設定ボタンの表示状態を変化させ、選択されたことを明示すると共に、「戻る」ボタン４１のＧＵＩ表示を「決定」ボタン４２のＧＵＩ表示に変更する。
【０１５０】
ＧＵＩ画面４００ａの「決定」ボタン４２は、現在の設定が変更された場合にのみ表示される。そして、変更された機能の設定を「決定」しないと、ＧＵＩ画面４００ａ以外の画面に遷移することができないようになっている。そのため、設定変更が行われたことが明確に判別できる。
【０１５１】
そして、「決定」ボタン４２を操作すると、操作部１３０又はＧＵＩ部１２５は所定の制御信号をシステムマイコン１４０に送り、システムマイコン１４０は、操作部１３０又はＧＵＩ部１２５からの制御信号に応じて設定されている機能を変更して記憶部（メモリ）に記憶する。
【０１５２】
もし、誤って別の設定ボタンを操作したり、設定変更をやめる場合は、ＧＵＩ画面４００ｂにおいて、変更前の設定ボタン「機能Ｂ」の設定ボタンを選択する。
【０１５３】
「機能Ｂ」の設定ボタンが選択されると、操作部１３０又はＧＵＩ部１２５は所定の制御信号をシステムマイコン１４０に送り、システムマイコン１４０は、操作部１３０又はＧＵＩ部１２５からの制御信号に応じて画面表示デバイス１５０を制御し、図１７（ｃ）のＧＵＩ画面４００ｂに示すように、「機能Ｂ」の設定ボタンの表示状態を変化させ、選択されたことを明示する。
【０１５４】
そして、ＧＵＩ画面４００ｂにおいて、操作部１３０を操作する、又は、ＬＣＤパネルにタッチして「決定」ボタン４２を操作すると、操作部１３０又はＧＵＩ部１２５は所定の制御信号をシステムマイコン１４０に送り、システムマイコン１４０は、操作部１３０又はＧＵＩ部１２５からの制御信号に応じて、記憶部（メモリ）に記憶している設定を変更前の機能「Ｂ」が設定状態のままとし、画面表示デバイス１５０を制御して、ＧＵＩ画面４００ｂを終了させる。
【０１５５】
もしくは、ＧＵＩ画面４００ｂにおいて、操作部１３０を操作する、又は、ＬＣＤパネルにタッチして「決定」ボタン４２を操作すると、図１７（ａ）の状態、即ち、ＧＵＩ画面４００が表示され、ＧＵＩ画面４００の「戻る」ボタン４１を選択することによりＧＵＩ画面４００を終了させるようにしてもよい。
【０１５６】
このようにして、ＧＵＩ画面において、操作が行われないと「戻る」ボタンが表示され、操作が行われた場合は、その操作を確定するための「決定」ボタンに切り替わるので、現在表示されているＧＵＩ画面で操作を行ったか否かを明確にすることができる。
【０１５７】
なお、ＧＵＩ画面において表示されるボタンは、「戻る」ボタン、「決定」ボタンに限定されるものではないことは勿論のことである。
【０１５８】
［５］：数値データの設定画面
次に、数値データを設定するときのＧＵＩ画面について、図１８のフローチャートを参照しながら説明する。ここでは、間欠録画の時間間隔を設定する場合の設定画面を例にして説明する。
【０１５９】
まず、操作部１３０を操作する、又は、ＬＣＤパネルにタッチしてディスプレイ１２０に表示されているアイコンやメニュー情報の中から所望の設定項目を選択すると、操作部１３０又はＧＵＩ部１２５は、所定の制御信号をシステムマイコン１４０に送る。
【０１６０】
ここでは、間欠録画の時間間隔を設定するための「ウェイトタイム」の設定項目ボタンを選択し、この「ウェイトタイム」の設定項目ボタンに応じた所定の制御信号がシステムマイコン１４０に送られる。  
【０１６１】
システムマイコン１４０は、操作部１３０又はＧＵＩ部１２５からの制御信号に応じて画面表示デバイス１５０を制御し、記憶部から現在設定されている「ウェイトタイム」の設定情報及び画面データを読み出して「ウェイトタイム」の設定をするための設定画面であるＧＵＩ画面５００を生成してディスプレイ１２０に表示させる（ＳＴ５００）。
【０１６２】
「ウェイトタイム設定」のＧＵＩ画面５００は、例えば、図１９に示すように、設定値の範囲及び現在の設定値をグラフィック表示する設定範囲表示部５０と、設定範囲表示部５０のグラフィック表示に応じた設定値を文字表示する設定値表示部５１と、設定値を変更（増減）するための操作ボタン５２（「−」ボタン及び「＋」ボタン）と、設定値を決定するための「ＯＫ」ボタン５３などから構成される。
【０１６３】
なお、設定範囲表示部５０にグラフィック表示されるグラフィック情報は、設定可能な範囲の値を予め設定しやすいような複数の範囲に分割し、分割したそれぞれの範囲に応じた所定の設定間隔に定め、分割・設定した各設定間隔に応じてグラフィックの形状を変化させたデータが、システムマイコン１４０の記憶部（メモリ）に記憶されている。
【０１６４】
例えば、ＧＵＩ画面５００においては、図１９に示すように、ウェイトタイムの設定値が１〜１２０の範囲で設定可能であり、１〜１０までの間の設定間隔を「１」、１０〜６０までの設定間隔を「１０」、６０〜１２０の設定間隔を「６０」とし、この分割・設定した各設定間隔に応じてバー状のグラフィックの幅を変化させている。
【０１６５】
そして、ディスプレイ１２０にＧＵＩ画面５００が表示されると、ボタン操作の検知待ちの状態となる（ＳＴ５１０）。
【０１６６】
ここで、設定値を変更する場合、操作部１３０を操作する、又は、ＬＣＤパネルにタッチすることによって操作ボタン５２、「ＯＫ」ボタン５３を操作すると、操作部１３０又はＧＵＩ部１２５は、操作したボタンに応じた制御信号をシステムマイコン１４０に送る。
【０１６７】
システムマイコン１４０は、操作部１３０又はＧＵＩ部１２５からの制御信号を検知すると、どのボタンが操作されたのかを判別する（ＳＴ５２０）。
【０１６８】
「−」ボタンが操作された場合、システムマイコン１４０は画面表示デバイス１５０を制御し、「−」ボタンの表示状態を変化させて操作されたことを明示するとともに、「−」ボタンの操作回数に基づいて、設定範囲表示部５０にグラフィック表示に応じた値、即ち、予め設定してある設定間隔に応じた所定の値を、記憶部（メモリ）に記憶されている現在の設定値から減算処理する（ＳＴ５２０→ＳＴ５２１、ＳＴ５２２）。
【０１６９】
そして、減算処理した設定値に応じて、設定範囲表示部５０にグラフィック表示されているグラフィック情報及び設定値表示部５１の文字情報の表示を更新する（ＳＴ５２２→ＳＴ５４０）。
【０１７０】
「−」ボタンではなく、「＋」ボタンが操作された場合、システムマイコン１４０は画面表示デバイス１５０を制御し、「＋」ボタンの表示状態を変化させて操作されたことを明示するとともに、「＋」ボタンの操作回数に基づいて、設定範囲表示部５０にグラフィック表示に応じた値、即ち、予め設定してある設定間隔に応じた所定の値を、記憶部（メモリ）に記憶されている現在の設定値に加算処理する（ＳＴ５２０→ＳＴ５３０→ＳＴ５３１、ＳＴ５３２）。
【０１７１】
そして、加算処理した設定値に応じて、設定範囲表示部５０にグラフィック表示されているグラフィック情報及び設定値表示部５１の文字情報の表示を更新する（ＳＴ５３２→ＳＴ５４０）。
【０１７２】
また、「−」ボタンや「＋」ボタンでなく、「ＯＫ」ボタン５３が操作された場合、ＧＵＩ画面５００に現在表示されている設定値を記憶部（メモリ）に記憶する（ＳＴ５２０→ＳＴ５３０→ＳＴ５５０→ＳＴ５６０）。
【０１７３】
このように、設定値の設定範囲を複数の範囲に分割し、分割したそれぞれの範囲に応じた設定間隔を設定し、この設定間隔に応じて表示するグラフィックの形状を変化させることにより、それぞれの設定項目に応じた設定値の範囲を効率よく、且つ、直感的に視認できるようになる。
［６］：アイコンや文字情報の配列表示
次に、装置状態（設定状態など）をアイコンや文字情報などのグラフィック情報を画面表示するときの動作について、図２０のフローチャートを参照しながら説明する。    
【０１７４】
例えば、操作部１３０を操作する、又は、ＬＣＤパネルにタッチしてディスプレイ１２０に表示されているアイコンやメニュー情報の中から、ある装置状態（設定状態など）を表示するため操作を行うと、操作部１３０又はＧＵＩ部１２５は、所定の制御信号をシステムマイコン１４０に送る。
【０１７５】
システムマイコン１４０は、この制御信号を受信すると、記憶部（メモリ）のテーブル・データで定められた順番（優先順位）に基づいて、装置状態（設定状態など）を確認する（ＳＴ６００）。
【０１７６】
そして、確認した装置状態に対応したグラフィック情報を画面表示すべきであるのか否かを判別する（ＳＴ６０１）。
【０１７７】
表示すべきグラフィック情報がない場合は、処理を終了する（ＳＴ６０１→終了）。
【０１７８】
表示すべきグラフィック情報がある場合、このグラフィック情報を表示するか否かを判別する（ＳＴ６０１→ＳＴ６０２）。
【０１７９】
グラフィック情報を表示しない場合、次に確認する装置状態に対して、表示すべきグラフィック情報であるか否かの判別処理を行う（ＳＴ６０２→ＳＴ６０１）。
【０１８０】
グラフィック情報を表示する場合、画面表示デバイス１５０のバッファにグラフィック情報が入力可能か否かを判別する（ＳＴ６０２→ＳＴ６０３）。
【０１８１】
バッファに入力可能である場合は、システムメモリ１４０の記憶部（メモリ）からグラフィック情報を読み出し、読み出したグラフィック情報を画面表示デバイス１５０のバッファに入力する（ＳＴ６０３→ＳＴ６０４）。
【０１８２】
そして、画面表示デバイス１５０のバッファにグラフィック情報を入力すると、テーブル・データで定められた順番（優先順位）に基づいて、次に確認する装置状態に対して同様の判別処理を繰り返す（ＳＴ６０４→ＳＴ６０１→・・・）。
【０１８３】
もし、画面表示デバイス１５０のバッファに入力できない場合は、別のバッファに入力可能であるかを判別する（ＳＴ６０３→ＳＴ６０５）。
【０１８４】
別のバッファに入力可能である場合は、システムメモリ１４０の記憶部（メモリ）からグラフィック情報を読み出し、読み出したグラフィック情報を画面表示デバイス１５０の別のバッファに入力する（ＳＴ６０５→ＳＴ６０６→ＳＴ６０４）。
【０１８５】
そして、画面表示デバイス１５０の別のバッファにグラフィック情報を入力すると、テーブル・データで定められた順番（優先順位）に基づいて、次に確認する装置状態に対して同様の判別処理を繰り返す（ＳＴ６０４→ＳＴ６０１→・・・）。
【０１８６】
一方、別のバッファに入力できない状態、もしくは、表示すべきグラフィック情報がなくなった状態になると、システムマイコン１４０は、バッファへの入力処理を終了する（ＳＴ６０５→ＳＴ６０７、もしくは、ＳＴ６０１→ＳＴ６０７）。
【０１８７】
そして、画面表示デバイス１５０を制御し、予め定められている表示情報（グラフィック情報を表示する位置情報や配列情報（直線状、曲線状に配置するなど）、配置間隔情報等）に基づき、バッファに入力された順番でグラフィック情報をディスプレイ１２０に表示する（ＳＴ６０７→ＳＴ６０８）。
【０１８８】
例えば、設定状態を示すアイコンが「Ａ」〜「Ｚ」まである場合、装置のある設定状態を表示するための項目を選択すると、システムマイコン１４０は、記憶部（メモリ）のテーブル・データで定められた順番（優先順位）に基づいて、装置内の該当する各部の設定状態を順次確認し、対応する各アイコンを表示するか否かを判別する。
【０１８９】
そして、表示するアイコンのグラフィック情報を画面表示デバイス１５０のバッファに順次入力して行き、所定の設定状態を確認すると、予め定められている位置情報や配列情報に基づいてバッファ内のグラフィック情報をディスプレイ１２０に表示する。
【０１９０】
例えば、図２１（ａ）の設定表示画面６００のように、アイコンを画面の下部に「Ａ」、「Ｂ」、「Ｅ」、「Ｆ」、「Ｇ」、「Ｃ」、「Ｈ」、「Ｊ」の順に一列に並べて表示する。また、一列に並べて表示できない場合は、図２１（ｂ）のように、更に、一段上の位置にアイコンを並べて表示する。
【０１９１】
従来の画面表示であれば、アイコンを画面の下部に「Ａ」、「Ｂ」、「Ｃ」、「Ｄ」、「Ｅ」、「Ｆ」、「Ｇ」、「Ｈ」のように順番が定められているため、装置状態に応じた順番で表示されずに不要なアイコンが表示されていたが、上述したような画面表示であれば、アイコンや文字情報などが多い場合でも、装置状態に応じて必要なアイコンや文字情報が所定の配置でディスプレイに表示される。
【０１９２】
［７］：重畳表示         
次に、画面表示しているディスプレイに別のＧＵＩ画面を表示するときの動作について、図２２のフローチャートを参照しながら説明する。    
【０１９３】
例えば、ディスプレイ１２０に撮影中の画像が表示されている状態において、システムマイコン１４０は、操作部１３０やＬＣＤパネルが操作されたか否かを検知する状態、即ち、操作部１３０又はＧＵＩ部１２５からの制御信号の検知待ち状態となっている。
【０１９４】
このような状態で、操作部１３０を操作する、又は、ＬＣＤパネルにタッチされ、所定の操作が行われると、操作部１３０やＧＵＩ部１２５から所定の制御信号がシステムマイコン１４０に送られる（ＳＴ７００）。
【０１９５】
システムマイコン１４０は、操作部１３０やＧＵＩ部１２５からの制御信号を受信すると、この制御信号に応じた動作や表示処理が可能か否かを判別する（ＳＴ７００→ＳＴ７０１）。
【０１９６】
動作や表示処理を行うことが可能である場合、システムマイコン１４０は、画面表示デバイス１５０を制御し、所定の動作を実行させるための操作画面やメッセージなどの表示を行うメッセージ画面などのレイヤ画面を生成し、このレイヤ画面を現在ディスプレイ１２０に表示されている画面の最前部に重畳表示する（ＳＴ７０１→ＳＴ７０２→ＳＴ７０４）。
【０１９７】
なお、レイヤ画面又は重畳される画面の輝度や色合いを変えたりすることにより、最前部に重畳表示されるレイヤ画面を視覚的に際立たせるようにする。
【０１９８】
一方、動作や表示処理を行うことができない場合、システムマイコン１４０は、画面表示デバイス１５０を制御し、エラーメッセージの表示処理を行い、所定のメッセージ画面となるレイヤ画面を生成し、このレイヤ画面を現在ディスプレイ１２０に表示されている画面の最前部に重畳表示する（ＳＴ７０１→ＳＴ７０３→ＳＴ７０４）。
【０１９９】
以上のような動作が操作部１３０を操作する、又は、ＬＣＤパネルにタッチされるたびに実行され、ディスプレイに表示されている画面の最前部にレイヤ画面が重畳表示される。
【０２００】
次に、このようなＧＵＩ画面の具体例について説明する。
【０２０１】
例えば、撮像装置１で撮影を開始しようとする場合、電源スイッチ１７０によって所望の動作モードをオンにすると、システムマイコン１４０は、電源スイッチ１７０に動作モード、例えば、ビデオテープカセット（以下、カセットという）に記録するための動作モードで撮像装置１を起動する。
【０２０２】
撮像装置１が所定の動作モードで起動すると、図２３（ａ）に示すように、撮像部１１０によって得られた画像信号がシステムマイコン１４０を介して画像表示デバイス１５０に送られ、画像表示デバイス１５０がこの画像信号を撮影画面７００としてディスプレイ１２０に表示する。
【０２０３】
ここで、例えば、ディスプレイ１２０に表示された撮影画像７００の露出補正を行う場合、操作部１３０を操作する、又は、ＬＣＤパネルにタッチして「露出補正の設定」の操作を実行すると、システムマイコン１４０は、画面表示デバイス１５０を制御し、図２３（ｂ）に示すような露出値を設定するためのＧＵＩ画面をレイヤ画面７１０として生成し、図２３（ａ）の撮影画面７００に前面に重畳表示する。
【０２０４】
そして、レイヤ画面７１０、即ち、「露出補正の設定」のＧＵＩ画面において、操作部１３０を操作する、又は、ＬＣＤパネルにタッチして「＋」ボタン又は「−」ボタンを操作し、所望の露出値となるように設定することができる。
【０２０５】
また、図２３（ｂ）のレイヤ画面７１０が重畳表示された状態で、画像の記録を開始しようとしたとき、装置にカセットが入っていないと、システムマイコン１４０は、メッセージ表示処理を実行し、画面表示デバイス１５０を制御して、図２３（ｃ）に示すような「カセットが入っていません」というようなメッセージを表示させるレイヤ画面７２０を生成し、ディスプレイ１２０に表示されているレイヤ画面７１０の前面に重畳表示する。
【０２０６】
そして、カセットをセットする、もしくは、所定の時間を経過すると、レイヤ画面７１０に重畳表示されているレイヤ画面７２０の重畳表示を終了し、図２３（ｂ）の状態に戻す。
【０２０７】
このように、操作部１３０を操作する、又は、ＬＣＤパネルにタッチして操作が選択されると、選択された操作に応じたレイヤ画面（ＧＵＩ画面）を生成し、ディスプレイ１２０の最前面に重畳表示する。
【０２０８】
また、例えば、図２４（ａ）に示すように、ディスプレイ１２０に所定の機能を示すアイコン「Ａ」、「Ｂ」、「Ｃ」が表示された表示画面７３０が表示されており、このうちの１つ、例えば、アイコン「Ｂ」の機能を一時的に無効にした場合について説明する。
【０２０９】
まず、操作部１３０を操作する、又は、ＬＣＤパネルにタッチしてアイコン「Ｂ」の機能を「無効」にすると、システムマイコン１４０は、この操作に基づいて画面表示デバイス１５０を制御して、表示されているアイコン「Ｂ」に機能停止を示すアイコン７５を生成し、図２４（ｂ）に示すように、アイコン「Ｂ」アイコン７５を重畳表示する。
【０２１０】
そして、操作部１３０を操作する、又は、ＬＣＤパネルにタッチしてアイコン「Ｂ」の機能を「有効」にすると、システムマイコン１４０は、この操作に基づいて画面表示デバイス１５０を制御して、アイコン７５の重畳表示を消去し、図２４（ａ）の状態に戻す。
【０２１１】
このようにアイコンや文字情報などのグラフィック情報に対しても重畳表示を行うことができる。なお、上述と同様にアイコンや文字情報は、色、明るさ、形状など組み合わせたり、変えたりすることで表示状態を様々に変化させることができる。
【０２１２】
例えば、記録する画像の冒頭のなどに、文字情報（タイトルなど）を記録する場合、文字情報を入力して重畳表示し、記録開始までの準備段階では、文字情報を目立つような表示状態とし、記録を開始した場合には、色、明るさ、形状などを変えるなどして目立たなくすることも可能である。
【０２１３】
［８］：フォルダ選択     
次に、記録装置や記録媒体のフォルダを選択するときの動作について、図２５のフローチャートを参照しながら説明する。    
【０２１４】
まず、記録装置１６０又は補助記録装置１６５や記録媒体に記録されているフォルダを選択するため、操作部１３０を操作する、又は、ＬＣＤパネルにタッチしてディスプレイ１２０に表示される所定のアイコン又はメニュー情報を選択する。
【０２１５】
所定のアイコン又はメニュー情報を選択すると、操作部１３０又はＧＵＩ部１２５は、システムマイコン１４０に所定の制御信号を送出する。
【０２１６】
システムマイコン１４０は、操作部１３０又はＧＵＩ部１２５からの制御信号に応じて、記録装置１６０又は補助記録装置１６５のカレントフォルダの画像データ情報を取得する（ＳＴ８００）。
【０２１７】
なお、フォルダとは、複数の画像データを分類・整理して１つにまとめて管理している記録装置や記録媒体の所定の記録エリア（保管場所）のことであり、カレントフォルダとは、アクセス可能なフォルダのことである。
【０２１８】
そして、カレントフォルダの画像データ情報を取得すると、画像表示デバイス１５０を制御し、記録装置１６０又は補助記録装置１６５のカレントフォルダに記録されている画像データのインデックス画像情報を生成し、生成したインデックス画像情報に基づいたＧＵＩ画面８００をディスプレイ１２０に表示させる（ＳＴ８０１）。
【０２１９】
なお、インデックス画像情報は、記録されている各画像データの縮小画像データを生成し、一覧表示できるようにした情報である。
【０２２０】
ＧＵＩ画面８００は、例えば、図２６に示すように、インデックス画像情報を表示する画像表示部８０と、所望の画像データを選択するための「選択」ボタン８１と、ＧＵＩ画面８００を終了させる「終了」ボタン８２と、選択した画像データに対して設定操作を行うための「設定画面」を呼び出す「設定」ボタン８３などから構成される。
【０２２１】
ＧＵＩ画面８００が表示されると、操作されるボタンの検知状態となる（ＳＴ８０２）。
【０２２２】
ここで、操作部１３０を操作する、又は、ＬＣＤパネルにタッチして選択ボタン８１が操作されると、操作部１３０又はＧＵＩ部１２５は、システムマイコン１４０に所定の制御信号を送出する。
【０２２３】
システムマイコン１４０は、操作部１３０又はＧＵＩ部１２５からの制御信号に応じて画像表示デバイス１５０を制御し、画像表示部８０に表示されている縮小画像データの表示状態を順次変化させて、選択している画像データを明示する（ＳＴ８０２→ＳＴ８０３→ＳＴ８０１→ＳＴ８０２）。
【０２２４】
一方、操作部１３０を操作する、又は、ＬＣＤパネルにタッチして「設定」ボタン８３を選択・操作すると、操作部１３０又はＧＵＩ部１２５は、システムマイコン１４０に所定の制御信号を送出する。
【０２２５】
システムマイコン１４０は、操作部１３０又はＧＵＩ部１２５からの制御信号に応じて画面表示デバイス１５０を制御し、画像データに対して設定操作を行うための「設定画面」のＧＵＩ画面８１０を生成し、ディスプレイ１２０に表示されているＧＵＩ画面８００に重畳表示する（ＳＴ８０２→ＳＴ８０４）。
【０２２６】
ＧＵＩ画面８１０は、例えば、図２７に示すように、設定操作ボタン群８５の中から所望のボタンを選択する「選択」ボタン８１ａと、「設定画面」を終了させる「終了」ボタン８２ａと、画像データに対して設定操作を実行する設定操作ボタン群８５などから構成される。
【０２２７】
設定ボタン群８５は、例えば、選択されている画像データの消去を禁止する「プロテクト」ボタン、選択されている画像データを消去する「消去」ボタン、選択されている画像データに対してプリントマークを設定する「プリントマーク」ボタン、別のフォルダへ移動するための「フォルダ選択」ボタンなどから構成される。
【０２２８】
ＧＵＩ画面８１０が表示されると、操作されるボタンの検知状態となる（ＳＴ８０４）。
【０２２９】
ここで、操作部１３０を操作する、又は、ＬＣＤパネルにタッチして設定ボタン群８５の中から「フォルダ選択」ボタン以外のボタンを操作すると、操作部１３０又はＧＵＩ部１２５は、システムマイコン１４０に所定の制御信号を送出する（ＳＴ８０４→ＳＴ８０５）。
【０２３０】
システムマイコン１４０は、操作部１３０又はＧＵＩ部１２５からの制御信号に応じて、操作されたボタンの設定を実行する（ＳＴ８０５→ＳＴ８０６）。
【０２３１】
例えば、図２７の「プロテクト」ボタンが操作されると、選択している画像データを消去禁止に設定する。また、「消去」ボタンが操作されると、選択している画像データを記憶装置１６０の中から消去し、「プリントマーク」ボタンが操作されると、選択した画像データに対してプリントマークを設定する。
【０２３２】
一方、操作部１３０を操作する、又は、ＬＣＤパネルにタッチして設定ボタン群８５の中から「フォルダ選択」ボタンを操作すると、操作部１３０又はＧＵＩ部１２５は、システムマイコン１４０に所定の制御信号を送出する。
【０２３３】
システムマイコン１４０は、操作部１３０又はＧＵＩ部１２５からの制御信号に応じて画面表示デバイス１５０を制御し、カレントフォルダを変更するためのＧＵＩ画面８２０を生成し、ディスプレイ１２０に表示する（ＳＴ８０４→ＳＴ８０７）。
【０２３４】
ＧＵＩ画面８２０は、例えば、図２８に示すように、所望のフォルダ名を選択する「選択」ボタン８１ｂ、選択したフォルダ名を表示するフォルダ名表示部８６と、記憶装置１６０の中にあるフォルダ名を表示するフォルダ表示部８７、選択したフォルダの画像データなどを表示する画像データ表示部８８、選択したフォルダを決定する「決定」ボタン８９などから構成される。
【０２３５】
ＧＵＩ画面８２０において、操作部１３０を操作する、又は、ＬＣＤパネルにタッチして「選択」ボタン８１ｂを操作すると、操作部１３０又はＧＵＩ部１２５は、システムマイコン１４０に所定の制御信号を送出する。
【０２３６】
システムマイコン１４０は、操作部１３０又はＧＵＩ部１２５からの制御信号に応じて画面表示デバイス１５０を制御し、フォルダ表示部８７に表示されるフォルダ名の表示状態を変化させ、フォルダ名表示部８６にこのフォルダ名を表示して現在選択中のフォルダを明示するとともに、選択中のフォルダに記録されている画像データを画像データ表示部８８に表示する。なお、画像データが複数ある場合は、「選択」ボタン８１ｂを操作することによりフォルダ内の画像データを順次画像データ表示部８８に表示させることもできる（ＳＴ８０７→ＳＴ８０８）。
【０２３７】
ここで、操作部１３０を操作する、又は、ＬＣＤパネルにタッチして「決定」ボタン８９を操作すると、現在選択中のフォルダがカレントフォルダに変更される（ＳＴ８０８→ＳＴ８０９）。
【０２３８】
「決定」ボタン８９が操作されるまでは、待機状態となる（ＳＴ８０９→ＳＴ８０８→ＳＴ８０９→・・・）。
【０２３９】
カレントフォルダが変更されると、システムマイコン１４０は、再び、記録装置１６０又は補助記録装置１６５のカレントフォルダの画像データ情報を取得し、カレントフォルダに記録されている画像データのインデックス画像情報を生成し、生成したインデックス画像情報に基づいたＧＵＩ画面８００をディスプレイ１２０に表示させる（ＳＴ８０９→ＳＴ８００→ＳＴ８０１→・・・）。
【０２４０】
【発明の効果】
以上説明したように、本発明の撮像装置により、次に示すような優れた効果を奏する。
【０２４１】
「個人メニュー」により使用頻度の高い項目のみを選択した独自のメニュー情報を作成できると共に、「個人メニュー」のＧＵＩ画面に、メニュー情報を編集するためのボタンや「メインメニュー」を選択できるボタンが含まれているため、目的の設定画面に到達するまでのステップ数が少なく、且つ、メニュー情報の編集を簡単に行うことができるようになる。
【０２４２】
「個人メニュー」を選択するためのボタンを階層型の「メインメニュー」の上位階層に配置することによりメニュー選択の操作性が向上する。
【０２４３】
ＧＵＩ画面において、設定項目をシームレスにスクロール表示することができると共に、インデックス情報（シンボル）と設定項目との関係が画面表示され、この画面表示に対応したＧＵＩ画面に遷移することができるので、直感的、且つ、少ないステップ数で操作することが可能となり、設定項目を選択するときの時間や手間が大幅に軽減される。
【０２４４】
ＧＵＩ画面において、操作が行われないと「戻る」ボタンのみが表示され、操作が行われた場合は、その操作を確定するための「決定」ボタンのみの表示に切り替わるので、操作可能なボタンだけが表示され、現在表示されているＧＵＩ画面で操作を行ったか否かを明確にして、操作を迷わずに行うことができる。
【０２４５】
また、表示するボタンの個数が減少するので、画面のスペースが大きく、デザインも統一することができるので、ＧＵＩ画面の視認性が向上する。
【０２４６】
数値データを設定するＧＵＩ画面において、それぞれの設定項目に応じた設定値の範囲を効率よく表示することができ、且つ、直感的に視認できるようになるので操作性や視認性が向上する。
【０２４７】
装置状態に応じて必要なアイコンや文字情報のみを所定の配置状態でディスプレイに表示することができるので、表示画面の視認性が向上する。
【０２４８】
操作に応じた画面を、表示中のＧＵＩ画面の最前部に重畳表示するので、表示中の画面は消えず、また、操作が終了すると前の表示画面が表示されるので、複数の画面を重畳表示しても、判別がしやすく、ユーザの違和感を低減させることができる。
【０２４９】
また、記憶装置や記憶媒体に複数のフォルダが存在している場合でも、フォルダを選択・変更したり、フォルダ内の画像データを閲覧するときの操作性が向上する。
【図面の簡単な説明】
【図１】
本発明に係る撮像装置を簡略化して示した外観図の一例である。
【図２】
本発明に係る撮像装置の内部構成を簡略化して示したブロック図の一例である。
【図３】
図２に示した撮像装置において、「個人メニュー」を編集するときの動作過程を示したフローチャートである。
【図４】
図３のフローチャートにおける「個人メニュー」のＧＵＩ画面の表示例を示した説明図である。
【図５】
図４の「個人メニュー」で「編集メニュー」ボタンを操作したときに表示されるＧＵＩ画面の一例を示した説明図である。
【図６】
図５で示したＧＵＩ画面で「追加」ボタンを操作したときの「追加」動作のフローチャートである。
【図７】
図５で示したＧＵＩ画面で「削除」ボタンを操作したときの「削除」動作のフローチャートである。
【図８】
図５で示したＧＵＩ画面で「初期化」ボタンを操作したときの「初期化」動作のフローチャートである。
【図９】
図５で示したＧＵＩ画面で「並べ替え」ボタンを操作したときの「並べ替え」動作のフローチャートである。
【図１０】
図９のフローチャートに基づいて表示されるＧＵＩ画面を説明するための説明図である。
【図１１】
図２に示した撮像装置において、「個人メニュー」から設定を行うときの動作過程を示したフローチャートである。
【図１２】
図１１のフローチャートに基づいて表示されるＧＵＩ画面を説明するための説明図である。
【図１３】
図２に示した撮像装置において、「メインメニュー」から設定項目を選択するまでの動作過程を示したフローチャートである。
【図１４】
図１３のフローチャートの動作過程で表示されるＧＵＩ画面を説明するための説明図である。
【図１５】
図１３のフローチャートの動作過程で表示されるＧＵＩ画面を説明するための説明図である。
【図１６】
図１３のフローチャートの動作過程で表示されるＧＵＩ画面を説明するための説明図である。
【図１７】
本発明に係る撮像装置において、操作を選択／決定するときに表示されるＧＵＩ画面を説明するための説明図である。
【図１８】
図２に示した撮像装置において、数値データを設定するときの動作過程を示したフローチャートである。
【図１９】
図１８のフローチャートに基づいて表示されるＧＵＩ画面を説明するための説明図である。
【図２０】
図２に示した撮像装置において、文字情報やアイコンなどのグラフィック情報を表示するときの動作過程を示したフローチャートである。
【図２１】
図２０のフローチャートに基づいて表示されるＧＵＩ画面を説明するための説明図である。
【図２２】
図２に示した撮像装置において、ＧＵＩ画面を重畳表示するときの動作過程を示したフローチャートである。
【図２３】
図２２のフローチャートに基づいて表示されるＧＵＩ画面を説明するための説明図である。
【図２４】
図２２のフローチャートに基づいて表示される表示画面を説明するための説明図である。
【図２５】
図２に示した撮像装置において、フォルダやフォルダ内の画像データを選択・操作するときの動作を示したフローチャートである。
【図２６】
図２５のフローチャートに基づいて表示されるＧＵＩ画面を説明するための説明図である。
【図２７】
図２６のＧＵＩ画面で「設定」ボタンを操作したときに表示されるＧＵＩ画面を説明するための説明図である。
【図２８】
図２７のＧＵＩ画面で「フォルダ選択」ボタンを操作したときに表示されるＧＵＩ画面を説明するための説明図である。
【図２９】
従来の撮像装置におけるＧＵＩ画面の表示状態を説明するための説明図である。
【符号の説明】
１；撮像装置、１１０；撮像部、１２０；ディスプレイ、１３０；操作部、１３１；操作キー、１３２；リモコン受信部、１３２ａ；リモコン、１３３；入力デバイスインターフェイス、１３３ａ；入力デバイス、１４０；システムマイコン、１５０；画像表示デバイス、１６０；記録装置、１６５；補助記録装置、１７０；電源スイッチ
１００；ＧＵＩ画面、１０；「設定項目」ボタン群、１１；「切換」ボタン、１２；「終了」ボタン、１３；画面番号表示部、１５；「メニュー編集」ボタン
１００Ａ；ＧＵＩ画面、１２Ａ；「終了」ボタン、１５Ａ；編集ボタン群
１００Ｂ；ＧＵＩ画面、１００Ｃ；ＧＵＩ画面、１１ｃ；「切換」ボタン、１２ｃ；「終了」ボタン、１３ｃ；「ＯＫ」ボタン、１００Ｄ；ＧＵＩ画面、１００’；ＧＵＩ画面
１０ｘ；「メインメニュー」ボタン、２００；ＧＵＩ画面、２０１；ＧＵＩ画面、２０２；ＧＵＩ画面、２０１ａ；ＧＵＩ画面、２０；インデックス表示部、２０ａ；シンボル、２０ｂ；文字情報、２１；「移動」ボタン、２２；「終了」ボタン
３００；ＧＵＩ画面、３０；設定項目表示部、３１；「移動」ボタン、３２；「終了」ボタン、３３；「ＯＫ」ボタン、３４；シンボル表示部、３５；「戻る」ボタン
４００；ＧＵＩ画面、４００ａ；ＧＵＩ画面、４００ｂ；ＧＵＩ画面、４０；設定ボタン群、４１；「戻る」ボタン、４２；「決定」ボタン
５００；ＧＵＩ画面、５０；設定範囲表示部、５１；設定値表示部、５２；操作ボタン、５３；「ＯＫ」ボタン
６００；設定表示画面
７００；ＧＵＩ画面、７１０；レイヤ画面、７２０；レイヤ画面、７３０；表示画面、７５；アイコン
８００；ＧＵＩ画面、８０；画像表示部、８１；「選択」ボタン、８２；「終了」ボタン、８３；「設定」ボタン
８１０；ＧＵＩ画面、８１ａ；「選択」ボタン、８２ａ；「終了」ボタン、８５；設定ボタン群
８２０；ＧＵＩ画面、８１ｂ；「選択」ボタン、８７；フォルダ表示部、８８；画像データ表示部、８９；「決定」ボタン
９００；ＧＵＩ画面、９００Ａ；ＧＵＩ画面、９００Ｂ；ＧＵＩ画面